(57)【要約】【課題】　十分な強度及び塵埃等の侵入防止が確保できると共に、組立作業の簡素化及び安全性の確保できるバスダクトハウジングを得ること。【解決手段】　各ハウジング半体２１が構成する収納部２０Ａの両端側に設けられ、ハウジング半体２１の接合状態で互いに接合されるフランジ部２３，２４と、接合されたフランジ部２３，２４でハウジング半体２１を結合する結合手段と、接合されたフランジ部２３，２４の端縁に付加形成された補強部２５，２６と、を有し、ハウジング半体２１の接合状態で補強部２５，２６の外側端面は平坦に形成され、少なくとも一方の補強部の端部は、接合されたフランジ部の接合面よりも他方のハウジング半体側に伸長している。【選択図】　図６
2004129497.tif 000002
【特許請求の範囲】
【請求項１】
　収納凹部を有する同一形状の１対のハウジング半体を接合させて形成された収納部に絶縁被覆導体を収納するバスダクトハウジングにおいて、
　前記各ハウジング半体が構成する前記収納部の両端側に設けられ、前記ハウジング半体の接合状態で互いに接合されるフランジ部と、
該接合されたフランジ部で前記ハウジング半体を結合する結合手段と、
　前記接合されたフランジ部の端縁に付加形成された補強部と、を有し、
　前記ハウジング半体の接合状態で前記補強部の外側端面は平坦に形成され、少なくとも一方の前記補強部の端部は、前記接合されたフランジ部の接合面よりも他方のハウジング半体側に伸長していることを特徴とするバスダクトハウジング。
【請求項２】
　前記結合手段は、予備加工不要の結合手段であることを特徴とする請求項１に記載のバスダクトハウジング。
【発明の詳細な説明】
【技術分野】
【０００１】
　本発明はバスダクトハウジング、特に絶縁被覆導体を収容する収納凹部を有する一対のハウジング半体を互いに対向せしめてなる二分割体のバスダクトハウジングに関する。
【背景技術】
【０００２】
　バスダクトは、一般に平板状の電気導体を電気絶縁層で被覆した絶縁被覆導体をバスダクトハウジング内に収容するよう構成されている。
【０００３】
　このように構成されるバスダクトは、複数のケーブルを束ねて配線する配線システムに比べて火災等の発生防止や漏洩磁束防止等に極めて優れた機能を有することから工場施設やビル等における主電力供給ライン等に広く用いられている。
【０００４】
　このバスダクトは、例えば、下記特許文献１の公報（実公昭５８−９４７２号公報）に開示され、かつ図８に示すように断面コ字形の収納凹部１０１ａと、この収納凹部１０１ａの開口部両端に延設されたフランジ部１０１ｂ及びフランジ部１０１ｂの外方端縁に沿って付設形成された補強部１０１ｃとからなる一対のハウジング半体１０１を有している。
【０００５】
　そして、これら一対のハウジング半体１０１を前記収納凹部１０１ａの開口部側を互いに対向せしめ互いのフランジ部１０１ｂを接合し、互いに接合するフランジ部１０１ｂに穿設されたボルト挿通孔１０１ｄに挿入するボルト１０２によって一体結合してバスダクトハウジング１０３を形成すると共に、対向する収納凹部１０１ａによって形成された導体収納部１０３Ａ内に電気導体１０４ａを電気絶縁層１０４ｂで被覆した絶縁被覆導体１０４を複数積層して収容している。
【０００６】
　しかし、このように構成されるバスダクトにおいて絶縁被覆導体は塵埃等から保護する必要があり、下記の特許文献２の公報（特開昭５０−８５７９９号公報）や特許文献３の公報（実公昭５１−２３１７号公報）に開示されるように対向するハウジング半体の接合部に水膨張発泡性物質或いは間隔調整部材を介在せしめることにより導体収納部内への塵埃等の侵入を防止する方策がある。
【０００７】
　この様に、導体収納部の両端にフランジ部が存在し、そのフランジ部を接合させた状態でハウジング半体の結合を行うものにあっては、接合されるフランジ部間に他の部材を介在させて塵埃の導体収納部への侵入を防止している。
【０００８】
【特許文献１】実公昭５８−９４７２号公報
【特許文献２】特開昭５０−８５７９９号公報
【特許文献３】実公昭５１−２３１７号公報
【発明の開示】
【発明が解決しようとする課題】
【０００９】
　上記特許文献２の実開昭５０−８５７９９号公報或いは特許文献３の実開昭５１−２３１７号公報に開示される先行技術にあっては、互いに対向するハウジング半体の接合部に水膨張発泡物質や間隔調整部材を介在せしめることから導体収納部内への塵埃等の侵入が防止され、絶縁被覆導体の保護が得られる。
【００１０】
　しかし、バスダクトハウジングが比較的長尺でかつ重量が大であることから接合部に水膨張発泡物質や間隔調整部材を介在させる場合、バスダクトの組立作業は煩雑になり作業性に劣り製造コストの増大を招き、かつ対向するハウジング半体が互いにボルトにより結合するのみであることからバスダクトハウジングの十分な機械的強度が得られず、特に補強部に荷重や衝撃等の外力が作用した場合バスダクトの変形を招く虞れがある等の不具合がある。
【００１１】
　従って、本発明の目的は、十分な強度及び接合部からの塵埃等の侵入防止が確保できると共に、組立作業の簡素化及び安全性が確保でき、しかも製造コストの低減が可能なバスダクトハウジングを提供することにある。
【課題を解決するための手段】
【００１２】
　上記目的を達成するため請求項１に係るバスダクトハウジングは、
　収納凹部を有する同一形状の１対のハウジング半体を接合させて形成された収納部に絶縁被覆導体を収納するバスダクトハウジングにおいて、前記各ハウジング半体が構成する前記収納部の両端側に設けられ、前記ハウジング半体の接合状態で互いに接合されるフランジ部と、 該接合されたフランジ部で前記ハウジング半体を結合する結合手段と、前記接合されたフランジ部の端縁に付加形成された補強部と、を有し、前記ハウジング半体の接合状態で前記補強部の外側端面は平坦に形成され、少なくとも一方の前記補強部の端部は、前記接合されたフランジ部の接合面よりも他方のハウジング半体側に伸長していることを特徴としている。
【００１３】
　この様に、接合状態で結合部の設けられるフランジ部及びバスダクトの補強を行う補強部の存在により、十分な強度を得ることができ、更に、補強部の端部がフランジ部の接合面よりも他方のハウジング半体側に伸長していることにより、塵埃等の侵入防止が確保できる。また、ハウジング半体の接合状態で前記補強部の外側端面は平坦に構成されるので、安全性が確保され、しかも組立作業も簡素化される。
【００１４】
　請求項２に係るバスダクトハウジングは、
　互いに接合するフランジ部間を予備加工不要の結合手段により結合することを特徴としている。これにより、ボルト挿通孔等の予備加工が不要になることに伴って組立作業の簡素化が得られ、かつ組立後にあっても随時追加結合作業が可能になる。
【発明の効果】
【００１５】
　本発明に係るバスダクトによれば、十分な強度及び塵埃等の侵入防止が確保できると共に、組立作業の簡素化及び安全性が確保でき、しかも製造コストの低減が可能となる。
【発明を実施するための最良の形態】
【００１６】
　本発明の実施例は、図１から図７に記載されているが、最良の実施の形態に係るバスダクトハウジングは、図６に示されている。すなわち、このバスダクトハウジングは、収納凹部２２を有する同一形状の１対のハウジング半体２１を接合させて形成された導体収納部２０Ａに絶縁被覆導体（図示せず）を収納する様にしたものである。
【００１７】
　その構成は、各ハウジング半体２１が構成する導体収納部２０Ａの両端側には、ハウジング半体２１の接合状態で互いに接合されるフランジ部２３，２４が設けられ、接合された状態のフランジ部２３，２４の部分でハウジング半体２１を結合するために結合手段４１が付されている。この結合手段４１は、予備加工不要の結合手段として構成されている。
【００１８】
　また、接合されたフランジ部２３，２４の端縁には補強部２５，２６が付加形成されている。そして、ハウジング半体２１の接合状態で補強部２５，２６の外側端面は平坦に形成されている。この平坦な外側端面の部分には、係合部２７が設けられており、少なくとも一方の補強部の端部、すなわち、図示のように、本実施の形態では、補強部２５の端部である段差部２７ｂが、接合されたフランジ部の２３，２４の接合面よりも他方のハウジング半体側に伸長（突出）している。この補強部の端部の構成により、塵埃等の導体収納部２０Ａへの侵入防止が達成される。
【実施例１】
【００１９】
　以下、本発明によるバスダクトハウジングの第１の実施例を図１乃至図３によって説明する。
【００２０】
　図１はバスダクト１の斜視図であり、バスダクト１は例えば断面矩形或いは隅丸矩形の平板形状でアルミニウム或いは銅等からなる電気導体１１をポリエステルシート等の電気絶縁層１２で被覆した絶縁被覆導体１３と、複数の絶縁被覆導体１３を積層して収容保持するバスダクトハウジング２０とを有している。
【００２１】
　バスダクトハウジング２０は、同一断面形で相対向する一対のハウジング半体２１による２分割体によって形成される。
【００２２】
　各ハウジング半体２１は、断面コ字形の収納凹部２２と、この収納凹部２２の開口部両端に沿って互いに離反するように延設される所定幅のフランジ部２３、２４及び各フランジ部２３、２４の外側端縁に沿って付加形成される補強部２５、２６を有している。
【００２３】
　補強部２５、２６は、図２に図１のＡ−Ａ線断面を示すように、互いに接合するフランジ部２３、２４に互いに離反するように外方に延設する第１補強部２５ａ、２６ａと、第１補強部２５ａ、２６ａの外側端から互いに対峙するようにフランジ部２３、２４と略平行に延設される第２補強部２５ｂ、２６ｂと、第２補強部２５ｂ、２６ｂの端部に互いに近接するよう延設される第３補強部２５ｃ、２６ｃとからなる断面略Ｕ字状乃至コ字状であって、これら対向する補強部２５及び２６との共同によってバスダクトハウジング２０の両側縁に沿って一対の閉断面形状を形成するよう構成されている。
【００２４】
　この補強部２５、２６の各第２補強部２５ｂ、２６ｂの外側端面２５ｂ′、２６ｂ′は前記収納凹部２２の外側面部２２′に対して少なくとも一部が面一に形成されている。
【００２５】
　一方の補強部２５を形成する第３補強部２５ｃの端部は、図示のように、フランジ部２３，２４の接合面よりも他方側のハウジング半体２１側（補強部２６側）に伸長する様に形成されている。本実施例では、第３補強部２５ｃの内側端部に他方の補強部２６を形成する第３補強部２６ｃの内側端縁２７ａの板厚に相応する段差寸法を形成して補強部２５、２６内に形成された階段状の段差部２７ｂを設けている。これら内側端縁２７ａと段差部２７ｂとの係合により互いの第３補強部２５ｃ及び２６ｃの内側端部を連結する係合部２７を構成している。
【００２６】
　そして、係合部２７の内側端縁２７ａと段差部２７ｂとを嵌合することにより互いに接合する第３補強部２５ｃと２６ｃとの外表面が平坦に連続するように構成される。
【００２７】
　なお、上記第３補強部２５ｃの端部の他方の補強部２６側への伸長により、導体収容部２０Ａ内への塵埃等の侵入が防止される。
【００２８】
　更にバスダクトハウジング２０は、互いに対向するハウジング半体２１の接合するフランジ部２３及び２４を結合する結合手段２８を有している。結合手段２８は、本実施例では、図２に示すようにハウジング半体２１のフランジ部２３及び２４に予め各々形成されるボルト挿通孔２３ａ、２４ａにバネ座金２８ａ及び座金２８ｂを介して挿入するボルト２８ｃ及びボルト２８ｃに螺合するナット２８ｄによって両フランジ部２３、２４を締付け固定するよう構成されている。
【００２９】
　この結合手段２８は、両ハウジング半体２１の第２補強部２５ｂ、２６ｂの外側端面２５ｂ′、２６ｂ′から突出しない範囲、即ち収納凹部２２の外側面部２２′と外側端面２５ｂ′、２６ｂ′を結ぶ仮想線２９から外方に突出しないよう構成されている。
【００３０】
　次にこのように構成されるバスダクト１の組立作業について説明する。
【００３１】
　先ず、一方のハウジング半体２１に形成される収納凹部２２Ａ内に前記平板形状の電気導体１１を電気絶縁層１２で被覆した絶縁被覆導体１３を複数、本実施の形態では３層に積層する。
【００３２】
　次に、一方のハウジング半体２１の収納凹部２２内に積層され、かつ収納凹部２２から突出する絶縁被覆導体１３を他方のハウジング半体２１の収納凹部２２内に収容するようハウジング半体２１を対向せしめ、対向する一対の収納凹部２２によって形成される導体収納部２０Ａ内に絶縁被覆導体１３を収容固定すると共に、結合部２７の内側端縁２７ａと段差部２７ｂとを嵌合することにより対向するハウジング半体２１の相対位置決めを行う。
【００３３】
　そして、互いに対向するハウジング半体２１を係合位置決めした状態で各ハウジング半体２１のフランジ部２３、２４に予め各々形成されるボルト挿通孔２３ａ、２４ａにバネ座金２８ａ、座金２８ｂを介在して挿入するボルト２８ｃ及びボルト２８ｃに螺合するナット２８ｄによってフランジ部２３、２４を圧接せしめて固定する。
【００３４】
　このように構成されるバスダクトハウジング２０によると、一対のハウジング半体２１を、その収納凹部２２の開口部側が対向するよう対向せしめてフランジ部２３と２４とを接合することにより係合部２７を構成する内側端縁２７ａと段差部２７ｂとが互いに係合して相対向するハウジング半体２１の相対移動が規制されて相対位置決めが自動的に行われ、かつ係合部２７がフランジ部２３、２４を介して収納凹部２２から離間して形成されることから組立にあたり導体収納部２０Ａ内に収容される絶縁被覆体１３の電気絶縁層１２を係合部２７によって噛み込むことが回避されて絶縁被覆体１３の損傷を招くことなく極めて効率的に組立てられる。
【００３５】
　また係合部２７の内側端縁２７ａと段差部２７ｂとを係合することにより互いに接合する第３補強部２５ｃと２６ｃとの外表面が平坦に連続して形成され、バスダクトハウジング２０の組立及び取扱作業中に作業者が誤って手等を怪我する虞れがなく作業の安全性が確保できる。
【００３６】
　更に、接合する補強部２５、２６の内側端部が係合部２７によって一体的に連結され、かつ補強部２５、２６によってバスダクトハウジング２０の両側縁に沿って長手方向に伸びる閉断面形が形成されてバスダクトハウジング２０の機械的強度を確保すると共に、補強部２５、２６間を係合する係合部２７によって導体収容部２０Ａ内への塵埃等の侵入が防止される。
【００３７】
　一方、補強部２５、２６の第２補強部２５ｂ、２６ｂの外側端面２５ｂ′、２６ｂ′と収納凹部２２の外側面部２２′とを面一に形成され、かつ結合手段２８が収納凹部２２の外側面部２２′と第２補強部２５ｂ、２６ｂの外側端面２５ｂ′、２６ｂ′とを結ぶ仮想線２９内に位置することと相俟って特にバスダクト１を横配置した場合、例えば図３に示す如く床面Ｌ上に配設した場合バスダクト１の荷重が床面Ｌに接する収納凹部２２と両補強部２５及び２６によって分散支持される。
【００３８】
　従って絶縁被覆導体１３を収納する収納凹部２２の下方への湾曲変形が防止され、絶縁被覆導体１３、特に電気絶縁層１２の損傷が回避されると共に、地震等に起因する衝撃荷重による導体収納部２０Ａの上下振動など種々の事故誘発が防止できる。
【００３９】
　更に、第２補強部２５ｂ、２６ｂの外側端面２５ｂ′、２６ｂ′と収納凹部２２の外側面部２２′とが面一であることからバスダクト１の占有空間の断面形状が略矩形となり、バスダクト１の梱包作業が極めて容易でかつ運搬、保管等に伴う積載に際して安定的に維持される。また、対向するハウジング半体２１の断面形状が同一に形成されることから製造及び保管等の管理が容易になりコスト低減が期待できる。
【実施例２】
【００４０】
　次に、本発明におけるバスダクトハウジングの第２実施例を図４によって説明する。
【００４１】
　図４は、本実施例によるバスダクトハウジングの要部断面を示し、図１乃至３と対応する部位に同一符号を付することで詳細な説明を省略するが、第１の実施の形態におけるバスダクトハウジング２０の強度を更に向上せしめるものである。
【００４２】
　具体的には、一方の補強部２５の第１補強部２５ａ或いは他方の補強部２６の第１補強部２６ａの内側端部、例えば第１補強部２６ａの内側端部に係合凹部３０ａを形成し、かつ他方の第１補強部２５ａの内側端部に前記係合凹部３０ａに嵌合する係合突起３０ｂを形成して係合部３０を構成する。
【００４３】
　すなわち、補強部２５の端部２ヶ所に、フランジ部２３，２４の接合面よりも補強部２６側に伸長する部分を設けている。
【００４４】
　このように構成することにより、第１の実施例におけるバスダクトハウジング２０に比較して補強部２５、２６の部分における導体収納部２０Ａ内への塵埃等の侵入防止がより確実に達成できる。
【００４５】
　次に、本発明におけるバスダクトハウジングの第３の実施例を図５によって説明する。
【００４６】
　図５は、本実施例におけるバスダクトハウジングの要部断面を示し、図４と対応する部位に同一符号を付することにより詳細な説明を省略するが、バスダクトハウジングの軽量化及びコンパクト化を図るものである。
【００４７】
　即ち、補強部２５、２６を、互いに接合するフランジ部２３、２４から相互に離反するように延設する第１補強部２５ａ、２６ａと、第１補強部２５ａ、２６ａの外側端から互に対向するようにフランジ部２３、２４と略平行に、かつ収納凹部２２に近接するよう延設形成される第４補強部２５ｄ、２６ｄからなる断面Ｌ字形に形成することにより補強部２５、２６の小型化が得られ、バスダクトハウジングの軽量化及びコンパクト化を図っている。
【００４８】
　また、補強部２５、２６の各第４補強部２５ｄ、２６ｄの外側端面２５ｄ′、２６ｄ′を収納凹部２２の外側面部２２′に対して面一に構成することによりバスダクトを横配置した場合バスダクトの重量を収納凹部２２と補強部２５、２６に分散支持せしめると共に、バスダクトハウジング２０の占有空間の断面形状が略矩形に形成され、バスダクトの梱包を容易にし、かつバスダクトの積載の安定化が得られる。
【００４９】
　この実施例における補強部２５の端部のフランジ部２３，２４の接合面よりも補強部２６側への伸長は、補強部２６側の第１補強部２５ａ或いは他方の補強部２６の第１補強部２６ａの内側端部、例えば第１補強部２６ａの内側端部に係合凹部３０ａを形成し、また、他方の第１補強部２５ａの内側端部に係合凹部３０ａに嵌合する係合突起３０ｂを各々形成して係合部３０を構成することにより行っている。
【００５０】
　以上説明した各実施例では対向するハウジング半体２１のフランジ部２３及び２４に開口するボルト挿通孔２３ａ、２４ａに挿通するボルト２８ｃ及びナット２８ｄ等によって両ハウジング半体２１を結合してバスダクトハウジング２０を形成したが、更に好適にはボルト挿通孔２３ａ、２４ａ等の穿設等の予備加工を省略して両ハウジング半体２１を結合することにより製造作業の効率化を図ることも可能である。
【００５１】
　次に、この予備加工を不要とする結合手段を図６によって説明する。なお、図６において図１と対応する部位に同一符号を付することで詳細な説明を省略するが、ここで使用するハウジング半体２１のフランジ部２３、２４にはボルト挿通孔の穿設等の予備加工は施されてない。
【００５２】
　先ず、図６（Ａ）に示すように一対のハウジング半体２１を対向せしめ、対向する一対の収納凹部２２によって形成される導体収納部２０Ａ内に絶縁被覆導体（図示せず）を収容固定すると共に、係合部２７の内側端縁２７ａと段差部２７ｂとを係合してハウジング半体２１を相対位置決めする。
【００５３】
　そして、重合するフランジ部２３、２４をリベット結合する。このリベット４１は図６（Ａ）に示すよう軸４１ａに中空部を有するチューブラリベットであり、リベッタでかしめることにより一方のフランジ部、例えばフランジ部２４を穿孔すると共に貫通し、押し広げられる軸４１ａの先端により他方のフランジ部２３を延出拡張せしめることによりかしめ結合する。
【００５４】
　このリベット４１により結合されたバスダクトハウジング２０は図６（Ｂ）に断面を示すようにフランジ部２３、２４からの突出部が極めて少なく、かつ前記ボルト締めによる結合方法に比べてボルト挿通孔の穿設等の予備加工が不要になり、ボルト等の締付作業等が省略でき、作業の簡素化が得られしかも短時間で効率的に低コストで実行できる。
【００５５】
　また、他の結合手段を図７によって説明する。なお図６と対応する部位に同一符号を付することで詳細な説明を省略する。
【００５６】
　先ず、図７（Ａ）に示すようにハウジング半体２１を対向せしめ、導体収納部２０Ａ内に絶縁被覆導体（図示せず）を収容固定すると共に、内側端縁２７ａと段差部２７ｂとを係合して対向するハウジング半体２１の相対位置決めを行う。
【００５７】
　続いて、互いに重合するフランジ部２３と２４を相対向する一対の電極４２によってクランプし、加圧した状態で電極４２間に通電して接合部にナゲット４３を形成して溶着するいわゆるスポット溶接により結合する。
【００５８】
　スポット溶接によって結合されたバスダクトハウジング２０は、図７（Ｂ）に要部断面を示すように、そのフランジ部２３、２４に突出部がなく、前記ボルト締めによる結合方法に比べ重量が軽減され、ボルト挿通孔の穿設等の予備加工が不要となり作業の簡素化が得られ、極めて短時間で効率的に低コストで実行できる。
【００５９】
　また、これらリベット或いはスポット溶接による結合方法はバスダクトハウジングの組立完了後においても必要に応じて結合部を追加することが極めて容易に行える。
【図面の簡単な説明】
【００６０】
【図１】本発明の第１の実施例を説明するバスダクトの斜視図である。
【図２】図１のＡ−Ａ線断面図である。
【図３】バスダクトの使用状態を示す説明図である。
【図４】本発明の第２の実施例を示す要部断面図である。
【図５】本発明の第３の実施例を示す要部側面図である。
【図６】本発明におけるバスダクトハウジングに用いられる結合手段の説明図であり、（Ａ）はリベットによる結合手段の説明図を示し、（Ｂ）はリベットによる結合手段によって結合されたバスダクトハウジングの要部断面図である。
【図７】本発明におけるバスダクトハウジングに用いられる結合手段の説明図であり、（Ａ）はスポット溶接による結合手段の説明図を示し、（Ｂ）はスポット溶接による結合手段によって結合されたバスダクトハウジングの要部断面図である。
【図８】従来のバスダクトハウジングを説明する斜視図である。
【符号の説明】
【００６１】
１ バスダクト
１３ 絶縁被覆導体
２０ バスダクトハウジング
２０Ａ 導体収納部
２１ ハウジング半体
２２ 収納凹部
２２′ 外側面部
２３ フランジ部
２４ フランジ部
２５ 補強部
２６ 補強部
２８ 結合手段
３０ 結合手段
【図１】
2004129497.tif 000003
【図２】
2004129497.tif 000004
【図３】
2004129497.tif 000005
【図４】
2004129497.tif 000006
【図５】
2004129497.tif 000007
【図６】
2004129497.tif 000008
【図７】
2004129497.tif 000009
【図８】
2004129497.tif 000010